(57)【要約】【課題】ネットワークに接続された情報端末を容易に管理し、情報端末の表示能力に応じたコンテンツを提供することを可能とする、コンテンツ管理サーバ、情報端末および画像データ配信システムを提供することを目的とする。【解決手段】コンテンツ管理サーバ１０３は、ネットワーク１０６への接続時に情報端末１０１を検索し、情報端末１０１が保持する機器情報１０２を取得して機器情報ＤＢ１０４に保存する。コンテンツＤＢ１０５に記録されているコンテンツに対して情報端末１０１から転送要求を受信した際には機器情報ＤＢ１０４を検索し、情報端末１０１の表示能力に合わせたコンテンツに変換することで、端末が所望する表示可能なコンテンツデータを送信することが可能となる。【選択図】図１
2008203928.tif 000002
【特許請求の範囲】
【請求項１】
コンテンツ管理サーバと情報端末から構成される画像データ配信システムであって、ネットワーク接続手段と、ネットワークに接続時にはネットワークに接続された情報端末の機器情報を取得する手段と、取得した前記機器情報の中に機器のコンテンツ表示に関する能力を示すものがあれば記憶する手段と、情報端末からコンテンツの転送要求を受信した際には記憶されている情報端末の表示能力と要求されたコンテンツとを比較する手段と、要求されたコンテンツが情報端末の表示能力以上の場合には情報端末の表示能力に合致したものに変換する手段を有し、情報端末に最適なコンテンツを転送することを特徴とするコンテンツ管理サーバ。
【請求項２】
前記機器情報を取得する手段において、検索要求メッセージを作成する手段と、作成したメッセージをネットワークに送信する手段と、送信したメッセージに対する検索応答メッセージを受信する手段と、検索応答メッセージ内を解析する手段を有し、前記機器情報の保存場所を知る手段を有することを特徴とする請求項１に記載のコンテンツ管理サーバ。
【請求項３】
前記機器情報を取得する手段において、機器情報の保存場所から前記機器情報を取得する手段を有することを特徴とする請求項１に記載のコンテンツ管理サーバ。
【請求項４】
前記コンテンツ表示に関する能力を記憶する手段において、前記機器情報を解析する手段を有し、情報端末の表示能力と情報端末を一意に特定することが可能な情報と合わせて機器情報ＤＢに管理することを特徴とする請求項１に記載のコンテンツ管理サーバ。
【請求項５】
請求項１に記載のコンテンツ管理サーバであって、コンテンツの転送要求時に情報端末の識別情報を取得可能か判断するステップと、識別情報取得時には、機器情報ＤＢから情報端末の表示能力を取得するステップと、表示能力に合わせたコンテンツに変換するステップを有することを特徴とするコンテンツ管理サーバ。
【請求項６】
コンテンツ管理サーバと情報端末から構成される画像データ配信システムであって、ネットワークに接続後は、情報端末のネットワーク接続を検知する手段と、機器情報を取得する手段と、取得した機器情報を解析する手段と、情報端末の表示能力と情報端末を一意に特定することが可能な情報と合わせて機器情報ＤＢに管理することを特徴とするコンテンツ管理サーバ。
【請求項７】
コンテンツ管理サーバと情報端末から構成される画像データ配信システムであって、情報端末のネットワーク離脱を検知する手段と、離脱を検知すると機器情報ＤＢに管理されたテーブルを削除することを特徴とするコンテンツ管理サーバ。
【請求項８】
コンテンツ管理サーバと情報端末から構成される画像データ配信システムであって、コンテンツデータ要求前に機器情報を送信する手段と、機器情報には、少なくとも表示デバイスに関する情報を含ませることを特徴とする情報端末。
【請求項９】
コンテンツ管理サーバと情報端末から構成される画像データ配信システムであって、前記コンテンツ管理サーバは、前記情報端末からの画像コンテンツに対する要求を受信すると情報端末の表示可能なコンテンツデータに変換して応答する手段を有し、前記情報端末は、データを受信すると表示デバイスに表示することを特徴とする画像データ配信システム。
【発明の詳細な説明】
【技術分野】
【０００１】
本発明は、情報端末の表示能力に応じた最適な画像データを表示する、コンテンツ管理サーバ、情報端末および画像データ配信システムに関するものである。
【背景技術】
【０００２】
ネットワーク上の画像データを閲覧するための端末装置としては、パソコンや携帯電話やデジタルテレビなど多種多様である。しかし、端末装置の処理能力、画像表示サイズは各々の端末によって異なるため、ファイルサイズの大きな高解像度の画像を表示能力の低い端末で表示できないという問題や、処理能力の低い端末では画像の伸長に時間がかかるといった問題があった。また、端末の表示能力以上のサイズの大きな画像がネットワーク上で通信されるので、画像データの取得に時間がかかるといった問題があった。
【０００３】
そこで、情報端末の表示能力に応じたコンテンツを提供する方法として、携帯電話等のＷＥＢサービスに代表されるように、端末毎のコンテンツを事前に用意しておき、Ｕｓｅｒ−Ａｇｅｎｔ等の端末情報により、提供するコンテンツを選択する方法がある。
【０００４】
また、特許文献１の様に、端末毎のテンプレートおよびコンテンツをサーバに用意する方法がある。
【特許文献１】特開２００４−１１０４２７号公報
【発明の開示】
【発明が解決しようとする課題】
【０００５】
しかしながら、端末毎のコンテンツを事前に用意しておく方法では、すべての端末分の画像データを用意しておく必要があり、ディスク容量を多く使用するといった課題がある。
【０００６】
また、端末毎のテンプレートおよびコンテンツをサーバに用意する方法では、サーバの管理者が必要であり、接続する端末が増える度にサーバに対してテンプレートを用意する必要があるため、手間がかかるという問題がある。
【０００７】
本発明はこれらの課題を解決するためのものであり、コンテンツ管理サーバがネットワーク参加時にはネットワークに接続された情報端末の能力を取得し、情報端末のネットワーク参加時には情報端末の能力情報をコンテンツ管理サーバに登録し、離脱時には削除することで、情報端末の管理を容易にし、情報端末の表示能力に応じたコンテンツを提供することを可能とし、通信時の情報量を削減することで情報端末上でのコンテンツ表示までの時間を短縮する、コンテンツ管理サーバ、情報端末および画像データ配信システムを提供することを目的とする。
【課題を解決するための手段】
【０００８】
前記従来の課題を解決するために本発明のコンテンツ管理サーバは、コンテンツ管理サーバと情報端末から構成される画像データ配信システムで利用されるコンテンツ管理サーバであって、ネットワークに接続時にはネットワークに接続された情報端末の機器情報を取得する手段を備え、取得した機器情報の中に機器のコンテンツ表示に関する能力を示すものがあれば記憶する手段と、情報端末からコンテンツの転送要求を受信した際には記憶されている情報端末の表示能力と要求されたコンテンツとを比較する手段と、要求されたコンテンツが情報端末の表示能力以上の場合には情報端末の表示能力に合致したものに変換する手段を有し、情報端末に最適なコンテンツを転送する。
【０００９】
また、本発明の情報端末は、ネットワーク接続時に前記コンテンツ管理サーバにネットワーク接続されたことを通知する手段を有し、コンテンツ管理サーバから機器情報の要求を受信した際にはコンテンツ表示に関する能力を付加した機器情報を送信する手段を有し、コンテンツデータ取得前にコンテンツ管理サーバへ機器情報を送信する。
【００１０】
また、本発明の画像データ配信システムは、複数の情報端末とコンテンツ管理サーバを有し、情報端末およびコンテンツ管理サーバはネットワークを介して接続されており、情報端末およびコンテンツ管理サーバはネットワークを介して通信を行う。
【発明の効果】
【００１１】
本発明によれば、ネットワークに接続された情報端末の機器情報をコンテンツ管理サーバが取得するため、端末毎のテンプレートを作るといった手間を省くことが可能である。
【００１２】
また、高解像度の大きな画像に対しては、情報端末の表示能力に応じたコンテンツに変換して転送することで情報端末にとって最適な画像を表示することが可能となる。
【００１３】
また、情報端末の表示能力以上のコンテンツに対しては、情報端末の表示能力に応じたコンテンツに変換することで、画像データサイズを小さくすることができ、通信にかかる時間を短縮でき、情報端末で画像を表示するまでの時間を短縮することが可能となる。
【発明を実施するための最良の形態】
【００１４】
以下本発明を図により詳細に説明する。図１は本発明の１例を示すシステムの構成を示している。
【００１５】
情報端末１０１はネットワーク接続手段（図示せず）を有し、液晶などの表示デバイス（図示せず）を有し、ハードディスクや不揮発性メモリである記憶媒体に記憶された機器情報１０２を有する。例えばＰＤＡ（Ｐｅｒｓｏｎａｌ  Ｄｉｇｉｔａｌ  Ａｓｓｉｓｔａｎｔｓ）、携帯電話、液晶テレビ、プラズマテレビ等の情報端末である。
【００１６】
機器情報ＤＢ１０４は情報端末１０１の機器情報１０２を記録する。
【００１７】
コンテンツＤＢ１０５は画像情報コンテンツデータが記録されているハードディスクや不揮発性メモリである。
【００１８】
コンテンツ管理サーバ１０３はネットワーク接続手段（図示せず）を有し、機器情報ＤＢ１０４を有し、コンテンツＤＢ１０５を有し、情報端末１０１からの要求を受信した際にはコンテンツＤＢ１０５内の画像情報を応答する手段（図示せず）を有する。例えばパソコンやデジタルカメラ等のデジタルデバイスである。
【００１９】
ネットワーク１０６を通じて、情報端末１０１とコンテンツ管理サーバ１０３は接続されている。
【００２０】
本発明の画像データ配信システムにおいて、コンテンツ管理サーバ１０３が電源オンによる起動時等により、ネットワーク１０６への接続時にはネットワーク１０６に接続されている情報端末１０１を検索する手段（図示せず）を有し、ネットワーク１０６を介して機器情報１０２を取得する手段（図示せず）を有し、取得した機器情報１０２を解析し情報端末１０１を一意に特定することが可能な情報と合わせて機器情報ＤＢ１０４に保存する手段（図示せず）を有し、コンテンツＤＢ１０５に記録されているコンテンツに対して情報端末１０１から転送要求を受信した際には機器情報ＤＢ１０４から情報端末１０１の表示能力等の情報を検索する手段（図示せず）を有し、所望のコンテンツを情報端末１０１の表示能力に合わせたコンテンツに変換する手段（図示せず）を有し、ネットワーク１０６を介して情報端末１０１にコンテンツデータを送信することで、端末が所望する表示可能なコンテンツデータを送信することが可能である。
【００２１】
情報端末１０１の検索は電源オンによる起動時等に限定されるものではなくてもよく、ユーザからの指示による検索であってもよく、また任意の間隔による検索であってもよい。
【００２２】
また、情報端末１０１は、コンテンツ管理サーバ１０３からの検索要求に応答する手段（図示せず）を有し、機器情報１０２の取得要求を受信した際には応答する手段（図示せず）を有し、コンテンツ管理サーバ１０３が保持するコンテンツデータを取得する手段を有し、取得したコンテンツデータを表示する手段（図示せず）を有する。
【００２３】
このように、本発明のシステムでは、情報端末が表示可能な所望するサイズ、色数、フォーマット等のコンテンツを受信することで、コンテンツ管理サーバ１０３に保存されているあらゆるコンテンツデータを表示することが可能となる。例えば、コンテンツ管理サーバ１０３に保存されているコンテンツが端末表示可能なコンテンツより巨大なデータ等の場合は、最適なサイズに縮小されて転送されるので、端末での画像伸長処理の時間を短縮することが可能となり、またデータサイズが小さくなるため通信速度向上につながり、情報端末を操作するユーザにとっては選択要求した画像を端末で表示するまでの時間を短縮させることが可能となり、利便性の高いシステムの提供が可能である。
【００２４】
以下本発明の詳細を、ＵＰｎＰ（Ｕｎｉｖｅｒｓａｌ  Ｐｌｕｇ  ａｎｄ  Ｐｌａｙ）のデバイスとしての機能を有するデジタルテレビを情報端末１０１、ＵＰｎＰのコントロールポイントとしての機能を有するデジタルカメラをコンテンツ管理サーバ１０３としてネットワーク構成された場合の例を挙げて説明する。
【００２５】
図２はコンテンツ管理サーバ１０３がネットワーク接続時に情報端末１０１の機器情報１０２を取得する動作を示したものである。
【００２６】
情報端末１０１は、ネットワークに接続した際には、検索要求メッセージを作成しネットワークに対してマルチキャスト送信する（Ｓ２０１）。Ｓ２０１は、例えば旅行などの外出先でデジタル写真を撮影しＳＤカードなどの不揮発性記録媒体であるコンテンツＤＢ１０５に画像コンテンツが蓄積された状態で帰宅し、宅内のネットワークに接続した際などの状態である。
【００２７】
検索要求メッセージを受信した情報端末１０１は機器情報１０２が格納されている場所を特定することが可能な検索応答メッセージを作成しコンテンツ管理サーバ１０３を送信先アドレスとしてネットワークに対して送信する（Ｓ２０２）。
【００２８】
コンテンツ管理サーバ１０３は前記Ｓ２０２で受信した検索応答メッセージを解析し機器情報１０２が格納されている場所に対して取得要求を行う（Ｓ２０３）。
【００２９】
情報端末１０１は前記Ｓ２０３の取得要求を受信すると記憶領域に保存された機器情報２０２を送信する（Ｓ２０４）。
【００３０】
コンテンツ管理サーバ１０３は情報端末１０１の機器情報２０２を受信すると、機器情報２０２を解析し端末の表示能力等の情報と情報端末１０１を一意に特定することが可能な情報と合わせて機器情報ＤＢ１０４に保存する（Ｓ２０５）。
【００３１】
図３（ａ）は検索要求動作（Ｓ２０１）で使用されるメッセージを示したものである。検索要求メッセージ３０１はＭ−ＳＥＡＲＣＨリクエストを付加してマルチキャストアドレスに対して送信されるメッセージであり、ＳＴヘッダに記載されているタイプのデバイスを検索するために使用するメッセージである。図３（ｂ）は検索応答動作（Ｓ２０２）で使用されるメッセージを示したものである。検索応答メッセージ３０２は検索要求メッセージ３０１に対する応答メッセージとして使用するメッセージである。ＬＯＣＡＴＩＯＮヘッダにはデバイスに関する詳細な情報を記したＤＤＤ（Ｄｅｖｉｃｅ  Ｄｅｓｃｒｉｐｔｉｏｎ  Ｄｏｃｕｍｅｎｔ）へのアドレスが記載されており、情報端末１０１の機器情報２０２が記載されているアドレスである。ＳＥＲＶＥＲヘッダはデバイスのＯＳやバージョン情報が記載されたヘッダである。ＳＴヘッダは検索要求メッセージ３０１に記載されたデバイスタイプが記載されるヘッダである。ＵＳＮヘッダは情報端末１０１を一意に特定することが可能な固有の識別情報が記載されているヘッダである。
【００３２】
コンテンツ管理サーバ１０３は検索応答メッセージ３０２を解析しＬＯＣＡＴＩＯＮヘッダに記載されているアドレスに対してＨＴＴＰプロトコルのＧＥＴメソッドによる取得要求を行い、情報端末１０１のＤＤＤを取得する。
【００３３】
図４は前記ＧＥＴメソッドにより取得したデータの一例を示すＤＤＤ４０１である。ＤＤＤはＸＭＬで記述されており＜ｓｐｅｃＶｅｒｓｉｏｎ＞タグはデバイスのメジャーバージョン、マイナーバージョンを記したもの、＜ｄｅｖｉｃｅ＞タグはデバイスの情報や提供するサービスの一覧を記したもので、デバイス種別を示す＜ｄｅｖｉｃｅＴｙｐｅ＞タグ、デバイスに分かりやすい名前を付けるために使用する＜ｆｒｉｅｎｄｌｙＮａｍｅ＞タグ、デバイスの開発元を記した＜ｍａｎｕｆａｃｔｕｒｅｒ＞タグ、デバイスを一意に特定するための識別子が記載される＜ＵＤＮ＞タグ、デバイスの表示デバイスの画素情報を記した＜ｐａｎａ：Ｘ＿ＤｉｓｐｌａｙＲｅｓｏｌｕｔｉｏｎ＞拡張タグがある。図４はＤＤＤの一例を示したもので、その他ＵＰｎＰで規定されるタグを使用してもよい。なお、前記ＤＤＤの一例ではデバイスの表示能力情報としてデバイスの画素情報を示しているが、輝度情報や色数などの表示デバイスに関する情報であればどのような情報でもよい。
【００３４】
図５は前記ステップＳ２０５にて、機器情報ＤＢ１０４内の登録情報の一例を示した管理テーブル５０１である。管理テーブル５０１は、情報端末１０１を一意に特定することが可能となる端末識別情報と情報端末１０１のＤＤＤ４０１内に記載されたデバイスの表示能力情報の項目から構成される。
【００３５】
コンテンツ管理サーバ１０３はＤＤＤ４０１を解析する手段を有し、ＤＤＤ４０１に記載されたデバイスを一意に特定するための識別子である＜ＵＤＮ＞タグとデバイスの画素情報を抽出する手段を有し、前記取得情報を管理テーブル５０１に記録する手段を有する。コンテンツ管理サーバ１０３は情報端末１０１からのコンテンツの転送要求受信時には、管理テーブルに記録された情報端末１０１の表示能力を知ることができ、情報端末１０１が表示可能なコンテンツに変換して送信することで情報端末１０１は表示能力を大きく超えるコンテンツでも表示することが可能となる。
【００３６】
図６は、情報端末１０１からのコンテンツの転送要求受信時のコンテンツ管理サーバ１０３の処理を示した流れ図である。
【００３７】
情報端末１０１からのコンテンツデータの要求受信待ちを行う（Ｓ６０１）。
【００３８】
コンテンツデータの要求受信時に受信要求から情報端末１０１の端末識別情報を取得可能か判断し（Ｓ６０２）、取得できなければ当該要求コンテンツを応答する。取得できれば、前記ステップで取得した端末識別情報をキーに管理テーブル５０１を検索し端末表示能力を取得する（Ｓ６０３）。
【００３９】
端末表示能力を取得できなければ、当該要求コンテンツを応答する。取得できれば、端末表示能力に合わせた画像データに変換する（Ｓ６０４）。
【００４０】
画像データの変換が行われなかった場合は元の画像データを応答し、画像データの変換が行われた場合は変換データを応答する（Ｓ６０５）。
【００４１】
以上のような動作により端末識別情報を取得可能で表示能力を取得可能な端末に対しては情報端末１０１の表示デバイスに最適な画像を応答することが可能となり、表示能力を取得できない端末に対しては要求されたコンテンツを応答することになる。端末識別情報を取得できない、もしくは表示能力を取得できない端末からのアクセスであっても問題なくコンテンツ管理サーバ１０３を利用することが可能である。
【００４２】
コンテンツ管理サーバ１０３がネットワーク参加時に情報端末１０１を検索する方法では、情報端末１０１が後からネットワーク参加した場合には検索できない。そこで、情報端末１０１がネットワーク参加時にコンテンツ管理サーバ１０３にネットワークに参加したことを通知する手段を用いる。
【００４３】
図７は情報端末１０１がネットワーク参加時にマルチキャストアドレスに対して送信されるネットワーク参加を意味するネットワーク参加通知メッセージ７０１である。ネットワーク参加を意味するＮＯＴＩＦＹリクエストで開始し、ＮＯＴＩＦＹリクエストのタイプを示すＮＴＳヘッダにはｓｓｄｐ：ａｌｉｖｅが記載される。その他のヘッダに関しては、検索要求メッセージ３０１、検索応答メッセージ３０２で使用するヘッダと同じ意味である。
【００４４】
図８は情報端末１０１のネットワーク参加時のコンテンツ管理サーバ１０３の処理を示した流れ図である。
【００４５】
コンテンツ管理サーバ１０３は情報端末１０１のネットワーク参加通知待ちをする（Ｓ８０１）。
【００４６】
コンテンツ管理サーバ１０３は、情報端末１０１がネットワークに参加した際に送信する前記ネットワーク参加通知メッセージ７０１を受信する手段を有し、前記メッセージを解析する手段を有し、ＬＯＣＡＴＩＯＮヘッダに記載されたデバイスに関する詳細な情報を記したＤＤＤへのＵＲＬ情報を取得する手段を有し、ＤＤＤの取得を行う（Ｓ８０２）。
【００４７】
取得したＤＤＤに端末の表示能力に関する情報が含まれているか判断し（Ｓ８０３）、含まれていなければＳ８０１に戻る。端末の表示能力に関する情報が含まれていれば、管理テーブル５０１のエントリーに空きがあるかを判断する（Ｓ８０４）。
【００４８】
エントリーに空きが無い場合はＳ８０１に戻る。エントリーに空きがある場合はテーブルに追加し（Ｓ８０５）、Ｓ８０１に戻る。このように、ネットワーク参加通知メッセージ７０１を使用することで情報端末１０１が後からネットワーク参加した場合においても、コンテンツ管理サーバ１０３はネットワーク上の情報端末１０１の状態をリアルタイムに管理することができる。
【００４９】
管理テーブル５０１に追加された情報の削除は、情報端末１０１がネットワーク離脱時にコンテンツ管理サーバ１０３にネットワークを離脱することを通知する手段を用いる。
【００５０】
図９は情報端末１０１がネットワーク離脱時にマルチキャストアドレスに対して送信されるネットワーク離脱を意味するネットワーク離脱通知メッセージ９０１である。ネットワーク参加を意味するＮＯＴＩＦＹリクエストで開始し、ＮＯＴＩＦＹリクエストのタイプを示すＮＴＳヘッダにはｓｓｄｐ：ｂｙｅｂｙｅが記載される。その他のヘッダに関しては、検索要求メッセージ３０１、検索応答メッセージ３０２で使用するヘッダと同じ意味である。
【００５１】
図１０は情報端末１０１のネットワーク離脱時のコンテンツ管理サーバ１０３の処理を示した流れ図である。
【００５２】
コンテンツ管理サーバ１０３は情報端末１０１のネットワーク離脱通知待ちをする（Ｓ１００１）。
【００５３】
コンテンツ管理サーバ１０３は、情報端末１０１がネットワークを離脱する際に送信する前記ネットワーク離脱通知メッセージ９０１を受信する手段を有し、前記メッセージを解析する手段を有し、ＵＳＮヘッダに記載された端末識別情報を取得する手段を有し、端末識別情報が一致するレコードを管理テーブル５０１より検索する手段を有し、テーブル内に端末識別情報が一致するレコードが含まれているか判断し（Ｓ１００２）、含まれていなければＳ１００１に戻る。
【００５４】
テーブル内に端末識別情報が一致するレコードが含まれていれば該当レコード情報を削除し（Ｓ１００３）、Ｓ１００１に戻る。このように、ネットワーク離脱通知メッセージ９０１を使用することで管理テーブル５０１に記録された該当端末のレコードを削除することができ、管理テーブル５０１に記録する余計なリソースを軽減することが可能となる。
【００５５】
本実施の形態では、管理テーブル５０１に記録する端末を一意に特定するための情報としてＤＤＤ４０１の＜ＵＤＮ＞タグに記載された識別子を利用したが、検索応答メッセージ３０２のＵＳＮヘッダに記載される識別情報を利用してもよく、またＭａｃアドレスや、ＩＰアドレスなどの端末を一意に特定することが可能な情報であれば、どのような情報を使用してもよい。
【００５６】
また、本実施の形態における、情報端末１０１が後からネットワーク参加した場合の、管理テーブル５０１への登録削除においては、ネットワーク参加通知メッセージ７０１、ネットワーク離脱通知メッセージ９０１を利用したが、ＳＵＢＳＣＲＩＢＥ／ＵＮＳＵＢＳＣＲＩＢＥメッセージを使用したイベントの購読／キャンセルを利用してもよい。
【００５７】
なお、さらに、本実施の形態において、ＵＰｎＰプロトコルを用いてネットワーク上の機器発見、機器情報の取得、ネットワーク参加、ネットワーク離脱を行ったが、ＵＰｎＰに限定されるものではなく、前記機能を実現可能なプロトコルであれば、どのようなプロトコルでもよい。
【産業上の利用可能性】
【００５８】
以上のように、コンテンツ管理サーバ、情報端末および画像データ配信システムは、情報端末にとって最適な画像を表示することが可能となり、通信にかかる時間を短縮でき、情報端末で画像を表示するまでの時間を短縮することが可能となるので、画像データなどを配信するシステム等に有用である。
【図面の簡単な説明】
【００５９】
【図１】システムの構成を示す図
【図２】機器情報取得の動作を示す図
【図３】検索要求/検索応答メッセージのデータ構造を示す図
【図４】ＤＤＤの一例を示す図
【図５】管理テーブルの一例を示した図
【図６】情報端末からのコンテンツの転送要求受信時のコンテンツ管理サーバの処理を示した流れ図
【図７】ネットワーク参加通知メッセージのデータ構造を示す図
【図８】情報端末のネットワーク参加時のコンテンツ管理サーバの処理を示した流れ図
【図９】ネットワーク離脱通知メッセージのデータ構造を示す図
【図１０】情報端末のネットワーク離脱時のコンテンツ管理サーバの処理を示した流れ図
【符号の説明】
【００６０】
１０１  情報端末
１０２  機器情報
１０３  コンテンツ管理サーバ
１０４  機器情報ＤＢ
１０５  コンテンツＤＢ
１０６  ネットワーク
３０１  検索要求メッセージ
３０２  検索応答メッセージ
４０１  ＤＤＤ
５０１  管理テーブル
７０１  ネットワーク参加通知メッセージ
９０１  ネットワーク離脱通知メッセージ
【図１】
2008203928.tif 000003
【図２】
2008203928.tif 000004
【図３】
2008203928.tif 000005
【図４】
2008203928.tif 000006
【図５】
2008203928.tif 000007
【図６】
2008203928.tif 000008
【図７】
2008203928.tif 000009
【図８】
2008203928.tif 000010
【図９】
2008203928.tif 000011
【図１０】
2008203928.tif 000012